(57)【要約】      （修正有）【課題】大便と小便を同時に行った場合においても精度よく尿量を測定することができ、また、どの算出結果を尿量として出力するのかについての選択を使用者がする必要のない使い勝手の良い尿量測定装置と、衛生的であるとともにメンテナンスの手間を削減できる尿量測定装置を提供する。【解決手段】制御部は、戴置検知手段８２により尿捕集手段８１が戴置されていないことが検知された場合、排泄物量算出手段９３による算出結果を使用者が排泄した尿量として出力し、戴置検知手段により尿捕集手段が戴置されていることが検知された場合、尿量算出手段による算出結果を使用者が排泄した尿量として出力する。【選択図】図２
2014169534.tif 000002
【特許請求の範囲】
【請求項１】
溜水が形成された状態で使用者の排泄物を受けるボウルを備える便器と、
前記便器の上面に着脱自在に戴置され、前記便器の上面に戴置された状態で前記ボウルの開口の一部を覆う形状に形成されており、使用者が排泄する尿を捕集する尿捕集手段と、
前記尿捕集手段に捕集された尿の水位から前記使用者が前記尿捕集手段内に排泄した尿量を算出する尿量算出手段と、
前記尿捕集手段の戴置の有無を検知する戴置検知手段と、
前記使用者が排泄する前と排泄した後の前記ボウル内の水位に基づいて、前記使用者が前記ボウル内に排泄した排泄物量を算出する排泄物量算出手段と、
前記尿量算出手段および前記排泄物量算出手段を制御する制御部と、を有し、
前記制御部は、前記戴置検知手段により前記尿捕集手段が戴置されていないことが検知された場合、前記排泄物量算出手段による算出結果を前記使用者が排泄した尿量として出力し、前記戴置検知手段により前記尿捕集手段が戴置されていることが検知された場合、前記尿量算出手段による算出結果を前記使用者が排泄した尿量として出力することを特徴とする尿量測定装置。
【発明の詳細な説明】
【技術分野】
【０００１】
本発明は、使用者が普段どおりの排泄を行うことで尿量を測定することができる尿量測定装置に関するものである。
【背景技術】
【０００２】
医療分野では、尿から得られる生体情報(尿量、尿流率など)は有用である。その中でも移植医療の分野では、拒絶反応状態の経過を観察することが重要であり、その方法として尿から得られる生体情報や、大便から得られる生体情報（大便量、大便の状態など）を測定する必要がある。
従来は、尿量については、使用者が便器にセットされた容器に排尿し、その後、医療従事者が尿を採取した容器を回収して尿量の測定を行うという方法が知られている。また、大便量については、ポータブルトイレに排泄して体積の測定を行うという方法が知られている。
また、従来では、例えば特許文献１に記載されているように、使用者が普段どおりに尿の排泄を行うだけで、排泄された尿から得られる生体情報を測定することができる大便器ユニットも知られている。
【先行技術文献】
【特許文献】
【０００３】
【特許文献１】特開２００６−２１９９７７号公報
【発明の概要】
【発明が解決しようとする課題】
【０００４】
しかしながら、使用者が便器にセットされた容器に排尿し、その後、医療従事者が尿を採取した容器を回収して尿量の測定を行うという測定方法では、使用者が羞恥心を抱いてしまう。また、常時容器を便器にセットしておく必要があり、衛生的に好ましくないという問題があった。さらに、常時容器を便器にセットしておくため、便器が使用される度にメンテナンスを行う必要があり、医療従事者にとって手間がかかるというだけでなく、医療従事者が移植医療を受けた患者のいる無菌病室に繰り返し入ることは、無菌状態の低下、引いては移植医療の成績低下に繋がるという問題があった。
また、特許文献１に記載されている測定方法では、使用者の羞恥心を軽減することはできるが、大便と小便が同時に排泄された場合、尿量を測定することができないという問題があった。あるいは、大便量を推定し、その推定値から尿量を測定することができても、測定された尿量は推定値から得た値となるため、測定結果に大きな誤差が生じてしまうという問題があった。  
【０００５】
そこで、本発明は、上述した問題点を解決するためになされたものであり、大便と小便を同時に行った場合においても精度よく尿量を測定することができ、また、どの算出結果を尿量として出力するのかについての選択を使用者がする必要のない使い勝手の良い尿量測定装置を提供することを目的としている。さらに、衛生的であるとともにメンテナンスの手間を削減できる尿量測定装置を提供することを目的としている。
【課題を解決するための手段】
【０００６】
上記目的を達成するために本発明は、溜水が形成された状態で使用者の排泄物を受けるボウルを備える便器と、前記便器の上面に着脱自在に戴置され、前記便器の上面に戴置された状態で前記ボウルの開口の一部を覆う形状に形成されており、使用者が排泄する尿を捕集する尿捕集手段と、前記尿捕集手段に捕集された尿の水位から前記使用者が前記尿捕集手段内に排泄した尿量を算出する尿量算出手段と、前記尿捕集手段の戴置の有無を検知する戴置検知手段と、前記使用者が排泄する前と排泄した後の前記ボウル内の水位に基づいて、前記使用者が前記ボウル内に排泄した排泄物量を算出する排泄物量算出手段と、前記尿量算出手段および前記排泄物量算出手段を制御する制御部と、を有し、前記制御部は、前記戴置検知手段により前記尿捕集手段が戴置されていないことが検知された場合、前記排泄物量算出手段による算出結果を前記使用者が排泄した尿量として出力し、前記戴置検知手段により前記尿捕集手段が戴置されていることが検知された場合、前記尿量算出手段による算出結果を前記使用者が排泄した尿量として出力することを特徴とする。
【０００７】
このように構成された本発明においては、使用者が大便と小便の両方を排泄したい場合には、尿捕集手段を便器に載置して排泄することで、尿捕集手段で尿のみを捕集してその水位から尿量を算出し、使用者が小便のみを排泄したい場合には、尿捕集手段を便器に載置せずに便器のボウルへ直接排尿することで、便器のボウル内の水位から尿量を算出するといった使用形態を提供することができる。そのため、大便と小便を同時に行った場合においても精度良く尿量を測定することができる。
また、尿捕集手段を便器に戴置したり、戴置しなかったりするだけで、尿捕集手段の水位と便器のボウル内の水位の算出結果の何れを尿量として出力するのかが切り替わるため使い勝手を向上することができる。
さらに、小便のみを排泄する場合には尿捕集手段を戴置する必要がないので、衛生的であるとともに、尿捕集手段の清掃といったメンテナンスの手間も削減できる。
【発明の効果】
【０００８】
本発明の尿量測定装置によれば、大便と小便を同時に行った場合においても精度良く尿量を測定することができる。また、尿捕集手段を便器に戴置したり、戴置しなかったりするだけで、尿捕集手段の水位と便器のボウル内の水位の算出結果の何れを尿量として出力するのかが切り替わるため使い勝手を向上することができる。さらに、必ず小便のみを排泄する場合には尿捕集手段を戴置する必要がないので、衛生的であるとともに、尿捕集手段の清掃といったメンテナンスの手間も削減できる。
【図面の簡単な説明】
【０００９】
【図１】本発明の実施例における尿量測定装置全体を示す斜視図である。
【図２】本発明の実施例における機能ブロック図である。
【図３】本発明の実施例における尿捕集手段を便器に戴置した状態を示す平面斜視図である。
【図４】本発明の実施例における尿捕集手段を便器に戴置した状態を示す断面図である。
【図５】本発明の実施例におけるフローチャートである。
【発明を実施するための形態】
【００１０】
本発明の実施例における尿量測定装置１の全体構成について、図１を用いて説明する。
図１は、本発明における尿捕集手段８１を便器２に戴置した場合の尿量測定装置１の一例の概観を示す斜視図である。
【００１１】
本実施例における尿量測定装置１は、便器２の上部に後述の便座３を含む衛生洗浄装置４が固定されており、測定手段一式は便器２の後部に設置されたキャビネット５の中に収納されている。図１において、尿捕集手段８１は破線で示されているように、便器２の上方に着脱自在に載置されている。
【００１２】
便器２は陶器製もしくは樹脂製であり、溜水が形成された状態で使用者の排泄物を受けるボウル２１を有している。便器２の上面には、便座３が衛生洗浄装置４に対し回動自在に取り付けられている。このように、通常の排泄行為の用途にも使用できる構成となっている。また、本実施例では、一般的に採用される便蓋を省略し、使用者の上半身を支えることを配慮した背もたれ５１をキャビネット５に設置している。便座３と同様に、便蓋を衛生洗浄装置４に対し回転自在に取り付けてもよい。
【００１３】
キャビネット５には、前述したように、使用者の上半身を支えるための背もたれ５１が設置されている。キャビネット５の内部には、必要に応じて、尿中の特定成分濃度等を測定する尿成分測定部や尿流率を測定する尿流率測定部などを収納しても良い。収納するものの占有体積により、キャビネット５の大きさ・形状は変更が可能である。
【００１４】
操作部７は、便器用リモコン７１と尿量測定装置用リモコン７２から構成され、壁に取り付けられている。
便器用リモコン７１は、便器２の洗浄や局部洗浄を行う際に操作するものであり、便器２の洗浄水量を選択できるスイッチや局部洗浄のモードを選択できるスイッチなどが設けられている。
尿量測定装置用リモコン７２は、測定の開始、終了、中断などの尿量測定装置１の操作を行うためのスイッチや測定結果を使用者に開示するための表示部などが設けられている。
なお、測定結果は、キャビネット５の上方に配置されたプリンタ６から出力されるだけでなく、院内ＬＡＮを介して電子情報として送信されるものであっても良い。
【００１５】
次に、図２を用いて、本発明の実施例における尿量測定装置１について説明する。図２は、本発明の実施例における機能ブロック図である。
【００１６】
図２に示すように、本実施例における尿量測定装置１は、便器部２０と、尿捕集ユニット８０と、測定ユニット９０と、を備えている。
便器部２０は、便器２と、排水ソケット１０と、を有している。
便器部２０において、給水源（図示しない）から供給された水は、給水手段２４を介してボウル２１に供給される。
本実施例では、給水手段２４として、便器２のボウル２１を洗浄するリム洗浄のためのリム吐水手段２４１と、排泄物混じりの溜水２３を排水配管１１へ排出するゼット洗浄のためのゼット吐水手段２４２の２つがある。
給水源からの給水された水は、リム吐水手段２４１またはゼット吐水手段２４２を介し、便器２のボウル２１に供給される。
【００１７】
便器２には、ボウル２１の他に、排水ソケット１０を介して建物の排水配管１１と連通されたトラップ２２が設けられている。ボウル２１内には、排水配管１１の内部で発生した悪臭や衛生害虫などがトイレ内に侵入することを防止するための溜水２３が形成されている。使用者が排泄した排泄物混じりの溜水２３は、トラップ２２を通り排水ソケット１０を経由して排水配管１１に排出されるようになっている。
【００１８】
尿捕集ユニット８０には、尿捕集手段８１と、尿捕集手段８１の戴置の有無を検知する戴置検知手段８２と、尿捕集手段８１により捕集された尿の水位を測定するための尿水位測定手段８５と、これらを制御するサブ制御手段８６と、を有している。サブ制御手段８６には、尿水位測定手段８５によって測定された水位に基づいて尿の量を算出する尿量算出手段８３と、尿量算出手段８３により算出した尿量や、載置検知手段８２の検知情報などの情報を測定ユニット９０のメイン制御手段９２へと送信する情報送信手段８４と、を有している。
尿捕集手段８１により捕集された尿は、尿量算出手段８３により尿量を算出したあと、ボウル２１内に流される。ボウル２１に流された尿は、便器洗浄により、トラップ２２を通り、排水ソケット１０を介して排水配管１１へと排出される。
【００１９】
測定ユニット９０には、溜水２３の水位を測定する水位測定手段９１と、メイン制御手段９２と、を有している。
また、測定開始時の水位を形成する測定開始水位形成部９５と、ボウル２１の形状に依存する溜水水位と溜水量との関係を検量線として求める検量線作成部９６も有している。
【００２０】
水位測定手段９１は、例えば、圧力センサなどを用いる手段が挙げられる。圧力センサを用いる方法では、溜水２３の水位によって生じる圧力（水頭圧）を溜水圧として、圧力センサにより、使用者が排泄する前の溜水圧と、使用者が排泄した後の溜水圧を測定する。そして、溜水圧と溜水水位との関係から、使用者が排泄する前の溜水水位と使用者が排泄した後の溜水水位を算出する。
この他に、ボウル２１の底部外壁に超音波発信部および超音波受信部を設け、超音波が溜水面に到達するまでの距離を求めることで、溜水水位を算出してもよい。
【００２１】
メイン制御手段９２は、水位測定手段９１によって測定された溜水水位から排泄物量を算出する排泄物量算出手段９３と、排泄物量算出手段９３または尿捕集ユニット８０の情報送信手段８４によりメイン制御手段９２に送られた情報を出力する算出結果出力手段９４を有している。
本発明の実施例における尿量測定装置１では、メイン制御手段９２が主に、装置全体の制御を行っている。
【００２２】
排泄物量算出手段９３は、水位測定手段９１によって測定された使用者が排泄する前の溜水水位と使用者が排泄した後の溜水水位から溜水水位の変化量（使用者が排泄する前の溜水水位と使用者が排泄した後の溜水水位の差）を算出する。そして、検量線作成部９６で作成された溜水水位と溜水量との関係を示す検量線に、溜水水位の変化量を適用し、使用者がボウル２１に排泄した排泄物量を算出する。
算出結果出力手段９４は、戴置検知手段８２により、尿捕集手段８１が戴置されていないことが検知されると、排泄物量算出手段９３により算出された値を使用者が排泄した尿量として出力する。また、戴置検知手段８２により、尿捕集手段８１が戴置されていることが検知されると、尿量算出手段８３により算出された値を使用者が排泄した尿量として出力する。
【００２３】
測定開始水位形成部９５は、測定開始水位を溢流水位よりも低い水位であり、かつ、使用者の排泄によって、溢流水位を越えない位置に設定する。
【００２４】
検量線作成部９６は、使用する便器２のボウル２１における溜水水位と溜水量との関係を示す検量線を求め、予め記憶するために設けられたものである。これは、特にボウル２１が陶器である場合には、便器毎の形状寸法バラツキが大きいために設けられたものである。尿量測定装置１の設置する際に、検量線作成部９６により、溜水水位と溜水量の関係を示す検量線を求め、図示しない検量線記憶部に記憶される。この検量線は、定期的な検定時に書き換えが実施される。なお、便器２のボウル２１に形成される溜水２３の水位は、設置現場の床傾きや排水配管１１の内圧状況等にも影響されるため、検量線の作成は設置時に行うことが好ましい。
使用する便器２のボウル２１内の形状の個体差が小さく、溜水水位と溜水量の関係が一定な場合には、検量線作成部９６などの溜水水位と溜水量の関係を示す検量線を求めることに関する構成を省略し、予め作成した検量線を図示しない検量線記憶部に記憶させておくという装置個別の検量線としてもよい。例えば、少なくともボウル２１を樹脂製とした便器であった場合にこの構成を適用することが可能である。
【００２５】
図２において、操作部７は、上述したように、操作部７は、便器用リモコン７１と尿量測定装置用リモコン７２とを備えている。
図示していないが、リモコン７１およびリモコン７２には、各操作を行うためのスイッチが設けられている。リモコン７１、７２に設けられたスイッチを操作すると、スイッチに対応する各操作は操作信号として、赤外線通信などの無線通信手段によってマイコンで動作するメイン制御手段９２に伝えられる。このように、尿量測定装置１は、メイン制御手段９２によって制御される。
【００２６】
本発明の実施例における尿捕集手段８１と尿捕集手段８１を戴置した場合の尿量測定装置１について、図３および図４を用いて説明する。
図３は、本発明の実施例における尿捕集手段８１を便器２に戴置した場合を示す平面斜視図である。また、図４は、本発明の実施例における尿捕集手段８１を戴置した場合の尿量測定装置１を示す断面図である。
【００２７】
図３に示すように、尿捕集手段８１は、便器２の上面に戴置され、便器２の上面に戴置された状態でボウル２１の開口の一部を覆う形状である。詳細には、ボウル部２１の加工の前後方向における前部側から後部側の一部に亘って覆い、ボウル部２１の開口の後部側の少なくとも一部を覆わない形状に形成されている。尿捕集手段８１には、使用者が排泄する尿の全てを捕集することが可能な容積となるように下側に向って窪んだ尿捕集部８１１と、尿捕集手段８１を便器２に戴置するための鍔部８１２と、が形成されている。なお、鍔部８１２の底面には、リミットスイッチ（図示せず）から成る載置検知手段８２が設けられている。捕集手段８１を戴置する場合には、鍔部８１２を便器２の上に載置し、便座３で挟み込んで固定し、使用する。この状態では、リミットスイッチが便器２の上面に当接することで接点がオンとなり、載置状態であることを検知することができる。尿捕集手段８１を取外す場合には、便座３を上げ、便器２の上から尿捕集手段８１を外すだけでよい。このときには、リミットスイッチの接点がオフし、載置状態でないことを検知することができる。
【００２８】
図４は、本発明の実施例における尿捕集手段８１を戴置した便器２を使用者が使用している状態である。
図４に示すように、尿捕集手段８１の外壁底面には、尿水位測定手段８５が設置されている。尿水位測定手段８５は、尿水面に向かう超音波を発信する超音波発信部と、尿水面によって反射された超音波を受信する超音波受信部と、を備えている。尿水位測定手段８５は、超音波を尿捕集手段６の外壁を透過させることで、尿水位を測定する。尿量算出手段８３は尿水位測定手段８５の測定結果と、図示しないメモリに記憶されている尿水位と尿量の関係とに基づいて、尿量を算出することができる。尿捕集手段８１を便器２に戴置した状態では、使用者が排泄した排泄物のうち尿は、尿捕集手段８１により全て捕集される。一方、大便は、尿捕集手段８１に覆われていないボウル２１の開口を通って、ボウル２１に落下する。
なお、尿水位測定手段８５としては、超音波の送受信を利用したものが、尿に直接接触せずに水位を測定できるので好ましいが、尿捕集手段８１の内側底面に設けた圧力を検出できるセンサによって構成することもできる。
【００２９】
図５を用いて、本実施例における尿量測定装置１の動作について説明する。
【００３０】
本実施例においては、溜水２３の水位は、溢流水位以下の測定開始水位で保持する。そのため、尿量測定に対して水位を変化させる準備時間が不要となり、使用者は準備のための待ち時間なく排泄が可能である。また、準備時間が不要であるため、使用者にとって使い勝手がよい。
【００３１】
測定開始水位の形成後、かつ、使用者の排泄前に、圧力センサなどにより溜水水位を予め測定しておく。測定された溜水水位は、図示しないメモリに記憶される。
なお、使用者の待機時間を不要とするためには、この溜水水位の測定は、測定開始水位の形成後、直ちに行われることが好ましい。しかしながら、使用者の排泄直前に実施してもよい。
【００３２】
使用者が大便および小便を排泄後、尿量測定装置用リモコン７２の測定開始スイッチを操作する。尿量測定装置用リモコン７２に設けられた表示部に表示された“測定可”という文字が“測定中”という文字に変化する。
【００３３】
まず、戴置検知手段８２により尿捕集手段８１が便器２に戴置されているか否かを判断する（Ｓ１）。
戴置検知手段８２により尿捕集手段８１が便器２に戴置されていないことが検知されると、尿量測定装置１は、上述したように水位測定手段９１によってボウル２１内の溜水水位の測定を行う（Ｓ２）。メイン制御手段９２の排泄物量算出手段９３は、予め水位測定手段９１によって測定した使用者が排泄する前の溜水水位と使用者が排泄した後の溜水水位から溜水水位の変化量を求める。そして、検量線作成部９６で作成された溜水水位と溜水量との関係を示す検量線に、溜水水位の変化量を適用し、使用者がボウル２１に排泄した排泄物量を算出する（Ｓ３）。
その後、メイン制御手段９２の算出結果出力手段９４により、算出した排泄物量を使用者が排泄した尿量としてリモコン７２の表示部やプリンタ６などに出力する（Ｓ４）。
【００３４】
使用者が便器用リモコン７１を操作し、便器洗浄操作を開始すると、尿量測定装置用のモコン７２の表示部には、“準備中”と表示されるとともに便器洗浄を開始する（Ｓ５）。便器洗浄では、リム吐水手段２４１よってボウル２１を洗浄するリム洗浄を行い、ゼット吐水手段２４２によってサイホン現象を発生させ、溜水２３および排泄物が排水配管１１へ排出される。
【００３５】
その後、測定開始水位形成部９５により測定開始水位を形成する（Ｓ６）。圧力センサなどの水位測定手段９１により使用者が排泄する前の溜水水位が測定されると、尿量測定装置用リモコン７２に設けられた表示部に表示された“準備中”という文字が“測定可”という文字へと変化し、尿量測定装置１による測定が完了する。
【００３６】
一方、戴置検知手段８２により尿捕集手段８１が便器２に戴置されていることが検知されると、尿量測定装置１は、尿捕集手段８１が便器２に戴置されていない場合と同様に、水位測定手段９１によってボウル２１内の溜水水位の測定を行う（Ｓ７）。メイン制御手段９２の排泄物量算出手段９３は、予め水位測定手段９１によって測定した使用者が排泄する前の溜水水位と使用者が排泄した後の溜水水位から溜水水位の変化量を求める。そして、検量線作成部９６で作成された溜水水位と溜水量との関係を示す検量線に、溜水水位の変化量を適用し、使用者がボウル２１に排泄した排泄物量を算出する（Ｓ８）。
また、尿量算出手段８３において、超音波発信部から尿水面に向かって超音波を発信し、超音波受信部で尿水面によって反射された超音波を受信することで、尿水位を測定する（Ｓ９）。その尿水位を予めメモリに記憶させておいた尿水位と尿量の関係に適用し、尿量を算出する（Ｓ１０）。そして、尿量算出手段８３の算出結果は、情報送信手段８４によってメイン制御手段９２へと送信される。
その後、メイン制御手段９２の算出結果出力手段９４は、排泄物量算出手段９３によって算出した排泄物量を使用者が排泄した大便量として、尿量算出手段８３によって算出した尿量を使用者が排泄した尿量として、リモコン７２の表示部やプリンタ６などに出力する（Ｓ１１）。
【００３７】
使用者が尿捕集手段８１を便器２から取り外し、尿捕集手段８１に捕集された尿をボウル２１にながした後、便器用リモコン７１を操作すると、便器洗浄操作を開始する。尿量測定装置用リモコン７２の表示部には、“準備中”と表示されるとともに便器洗浄を開始する（Ｓ５）。便器洗浄では、リム吐水手段２４１よってボウル２１を洗浄するリム洗浄を行い、ゼット吐水手段２４２によってサイホン現象を発生させ、溜水２３および排泄物が排水配管１１へ排出される。
【００３８】
その後、測定開始水位形成部９５により測定開始水位を形成する（Ｓ６）。圧力センサなどの水位測定手段９１により使用者が排泄する前の溜水水位が測定されると、尿量測定装置用リモコン７２に設けられた表示部に表示された“準備中”という文字が“測定可”という文字へと変化し、尿量測定装置１による測定が完了する。
【００３９】
以上のように、本発明の尿量測定装置によれば、使用者が大便と小便を同時に行った場合においても、精度良く尿量を測定することができる。また、尿捕集手段８１を便器２に戴置したり、戴置しなかったりするだけで使用者の排泄に応じた出力を行うことができる。すなわち、尿捕集手段８１を便器２に戴置すると、尿捕集手段８１に捕集された尿を使用者が排泄した尿量として算出し、ボウル２１内の排泄物量を使用者が排泄した大便量として出力する。一方、尿捕集手段を便器２に戴置しないと、尿捕集手段により尿が捕集されることはなく、ボウル２１内に排泄された排泄物量を使用者が排泄した尿量として出力する。そのため、どの算出結果を尿量として出力するのかについての選択を使用者が行う必要がない。よって、使い勝手を向上することができる。さらに、必要なときにだけ尿捕集手段８１を戴置すればよいので、常時、尿捕集手段８１を便器２に戴置させたものと比較すると、衛生的であるとともにメンテナンスの手間も削減することができる。
【００４０】
なお、本技術の実施例においては、尿量のみの測定について述べたが、所定時間毎に尿量を測定することにより、単位時間当たりに排泄される尿量を示す尿流率を測定することもできる。
【符号の説明】
【００４１】
１・・・尿量測定装置
２・・・便器
２０・・便器部
２１・・ボウル
２２・・トラップ
２３・・溜水
２４・・給水手段
２４１・・リム吐水手段
２４２・・ゼット吐水手段
３・・・便座
４・・・衛生洗浄装置
５・・・キャビネット
５１・・背もたれ
６・・・プリンタ
７・・・操作部
７１・・便器用リモコン
７２・・尿量測定装置用リモコン
８０・・・尿捕集ユニット
８１・・・尿捕集手段
８２・・・戴置検知手段
８３・・・尿量算出手段
８４・・・情報送信手段
８５・・・尿水位測定手段
８６・・・サブ制御手段
９０・・・測定ユニット
９１・・・水位測定手段
９２・・・メイン制御手段
９３・・・排泄物量算出手段
９４・・・算出結果出力手段
９５・・・測定開始水位形成部
９６・・・検量線作成部
１０・・・排水ソケット
１１・・・排水配管
【図２】
2014169534.tif 000003
【図４】
2014169534.tif 000004
【図５】
2014169534.tif 000005
【図１】
2014169534.tif 000006
【図３】
2014169534.tif 000007